(57)【要約】【課題】撮影装置による撮影画像を用いても、利用者個人の秘密厳守を守りつつ犯罪抑止に寄与し得るエレベータ用表示装置を提供する。【解決手段】このエレベータ用表示装置は、略図する建物に設備された昇降路における各階床間を昇降するエレベータの乗りかご１内に設置された撮影装置であるカメラ２によって、かご１内の利用者（乗員、乗客）を含む撮影画像を分析した結果をかご１が着床する階床の乗場付近に設けられた乗場表示装置６の表示画面上に表示する際、画像認識装置３が撮影画像から利用者画像データを抽出して利用者の性別を識別し、画像変換装置４が利用者の性別を識別した利用者画像データを予め定められた抽象化表示データに変換する。これにより、表示装置６が表示画面上に利用者を性別に抽象化表示データに基づいて抽象化表示（記号化表示）し、乗場の利用者は表示装置６の表示画面上でかご１内の利用者の総数や性別の様子が判る。【選択図】図１
2014005089.tif 000002
【特許請求の範囲】
【請求項１】
エレベータの乗りかご内に設置された撮影装置による当該乗りかご内の利用者を含む撮影画像を分析した結果を当該乗りかごが着床する階床の乗場付近に設けられた乗場表示装置の表示画面上に表示するエレベータ用表示装置であって、
前記撮影画像から利用者画像データを抽出して利用者の性別を識別する画像認識装置と、前記利用者の性別を識別した前記利用者画像データを予め定められた抽象化表示データに変換する画像変換装置と、を備え、
前記乗場表示装置は、前記表示画面上に前記利用者を性別に前記抽象化表示データに基づいて抽象化表示することを特徴とするエレベータ用表示装置。
【請求項２】
請求項１記載のエレベータ用表示装置において、前記乗りかご内に設置された表示装置を備え、前記表示装置は、表示画面上に前記乗りかご内の利用者を含む前記撮影画像を直接表示することを特徴とするエレベータ用表示装置。
【発明の詳細な説明】
【技術分野】
【０００１】
本発明は、犯罪防止用にエレベータの乗りかご内の利用者（乗員、乗客）を監視して表示する機能を持つエレベータ用表示装置に関する。
【背景技術】
【０００２】
近年、エレベータにおける乗りかご内での犯罪は増加傾向にあり、特に女性や子供には不安感を抱かせるものとなっている。そこで、犯罪防止対策の一つとして、乗りかご内へ防犯カメラを設置することが効果的であり、その設置台数も増加傾向にある。但し、防犯カメラ自体は事後対応形商品であり、防犯カメラの撮像画像を利用して乗りかご内での異常行為を検知すると、警告をアナウンスしたり、或いは乗りかごを最寄階に停止する等、即時対応型の防犯機能としての要求が強いものとなっている。
【０００３】
ところで、防犯カメラを用いた即時対応型の防犯機能では、例えば犯罪時に乗りかご内で乗員が暴れると、安全装置が作動して乗員が乗りかご内に閉じ込められる事態も生じ得るため、こうした場合には建物の交通手段が不用意に停止してしまうばかりでなく、被害者の救出も遅れてしまう事例も見受けられるため、十分な防犯機能が得られていないという難点もある。このような状況に対処するため、種々の技術が提案されている。例えば周知のエレベータの防犯装置として、乗りかご内を画像センサでモニタした出力信号から乗客画像データを抽出し、乗客画像データを分析して得られた２以上の異常微候係数の大小とそれらの組み合わせを判断した総合異常係数が所定値を超えたときに防犯処理を行う技術が知られている。その他、エレベータのかご内をカメラで撮影した画像に基づいて乗客の有無、照明灯の点滅をエレベータの制御盤とは無関係に検出すると共に、ドア開閉を検出した結果、乗客とドア閉とが一定時間継続したときに通報先に通報する「エレベータのかご内監視装置」（特許文献１参照）が挙げられる。
【先行技術文献】
【特許文献】
【０００４】
【特許文献１】特開２０００−２３８９６８号公報
【発明の概要】
【発明が解決しようとする課題】
【０００５】
上述した周知のエレベータの防犯装置や特許文献１の技術によれば、乗りかご内に設置した撮影装置（カメラ、画像センサ）による撮影画像を分析した結果に基づいて犯罪を防止する機能を持たせたものであるが、何れの場合にも撮影画像が直接表示画面上に表示されることになるため、利用者（乗員、乗客）によっては私的な理由等で表示画面上に表示されることを好まなかったり、或いはビジネス上の問題等で乗降階を第三者に知られることを嫌う要望があっても、こうした要望について個人の秘密厳守（プライバシー）が守られないという問題がある。
【０００６】
本発明は、このような問題点を解決すべくなされたもので、その技術的課題は、撮影装置による撮影画像を用いても、利用者個人の秘密厳守を守りつつ犯罪抑止に寄与し得るエレベータ用表示装置を提供することにある。
【課題を解決するための手段】
【０００７】
上記技術的課題を解決するため、本発明は、エレベータの乗りかご内に設置された撮影装置による当該乗りかご内の利用者を含む撮影画像を分析した結果を当該乗りかごが着床する階床の乗場付近に設けられた乗場表示装置の表示画面上に表示するエレベータ用表示装置であって、撮影画像から利用者画像データを抽出して利用者の性別を識別する画像認識装置と、利用者の性別を識別した利用者画像データを予め定められた抽象化表示データに変換する画像変換装置と、を備え、乗場表示装置は、表示画面上に利用者を性別に抽象化表示データに基づいて抽象化表示することを特徴とする。
【発明の効果】
【０００８】
本発明のエレベータ用表示装置によれば、乗りかご内を撮影する監視用の撮影装置による撮影画像を用いても、利用者（乗員、乗客）の性別を抽象化した上で乗場表示装置の表示画面上に表示するため、個人の秘密厳守を守りつつ犯罪抑止に寄与することができる。
【図面の簡単な説明】
【０００９】
【図１】本発明の実施例１に係るエレベータ用表示装置を含む乗りかご周辺構成を示した概略図である。
【図２】図１に示すエレベータ用表示装置に備えられる乗場表示装置の表示画面を示した概略図である。
【発明を実施するための形態】
【００１０】
以下に、本発明のエレベータ用表示装置について、実施例を挙げ、図面を参照して詳細に説明する。
【実施例１】
【００１１】
図１は、本発明の実施例１に係るエレベータ用表示装置を含む乗りかご１周辺構成を示した概略図である。このエレベータ用表示装置は、略図する建物に設備された昇降路における各階床間を昇降するエレベータの乗りかご１内に撮影装置であるカメラ２が設置されており、カメラ２によって乗りかご１内の利用者（乗員、乗客）を含む撮影画像を分析した結果を乗りかご１が着床する階床の乗場付近に設けられた乗場表示装置６の表示画面上に表示する機能を持つ。エレベータ自体は、乗りかご１と釣り合い錘とがシーブに巻き掛けられたロープを介して接続されており、巻上機により乗りかご１を昇降させる周知なタイプのものである。
【００１２】
具体的に云えば、このエレベータ用表示装置は、撮影画像から利用者画像データを抽出して利用者の性別（男女）を識別する画像認識装置３と、利用者の性別を識別した利用者画像データを予め定められた抽象化表示データに変換する画像変換装置４と、を備えている。そこで、乗場表示装置６は、表示画面上に利用者を性別に抽象化表示データに基づいて抽象化表示（記号化表示）する。
【００１３】
図２は、乗場表示装置６の表示画面を示した概略図である。図２を参照すれば、ここでは乗場表示装置６の表示画面となる表示部６ａ上に予め定められた抽象化表示、即ち、利用者を性別に男性については記号「△」で識別した男性用抽象化表示６ｂ、女性については記号「○」で識別した女性用抽象化表示６ｃを行うことにより、乗場側で乗りかご１内に男女各１名が乗り込んでいる様子を把握できることを示している。係る抽象化表示を行えば、例えばマンション等で夜間に女性が乗りかご１を特定の階から利用する場合、乗場表示装置６の表示部６ａを見れば乗りかご１内の利用者（乗員、乗客）の総数や性別の様子が判るので、仮に性的な犯罪行為に巻き込まれるような事態を危惧して事前に回避したいのであれば、記号「△」の男性用抽象化表示６ｂのときには乗り込むのを止め、記号「○」の女性用抽象化表示６ｃされている場合や、或いは無記号の場合の誰もいない状態に変わるのを待てば、安心して乗り込むことができる。
【００１４】
因みに、ここで例示した抽象化表示はあくまでも一例であり、性別の識別についてはその他の気号を用いることも可能である。例えば男性の記号「△」に対して女性については記号「▽」で識別したり、或いは男性については記号「□」、女性については記号「○」、「△」、「▽」等の何れかで識別するようにしても良い。勿論、ここで開示した以外の記号を用いることも可能である。何れにせよ、建物のメインフロア（乗場）近傍では、利用者（乗員、乗客）向けに乗場表示装置６の表示部６ａに対してそのような性別を抽象化して記号で識別した表示を行う機能を持たせている旨を案内して表示やアナウンスすることが好ましい。
【００１５】
これに対し、乗りかご１内に設置される略図する表示装置については、その表示画面上に乗りかご１内の利用者を含むカメラ２による撮影画像を直接表示することが好ましい。その理由は、よく知られているように、乗りかご１内の利用者（乗員、乗客）に対してカメラ２により撮影されて録画されていることを認識させることが犯罪抑止に有効であるためである。その他、乗場表示装置６の表示部６ａについては、液晶等の高価な表示画面である必要はなく、例えばインジケータ等の安価な構成であっても良く、こうした場合には通常の画面表示用のケーブルとして同軸ケーブル等を引き回す必要がなくなり、通常の２線式のケーブルを乗場まで引き回して抽象化表示すれば済むので、配線作業が容易になるという利点もある。
【００１６】
何れにせよ、実施例１に係るエレベータ用表示装置によれば、乗りかご１内の利用者（乗員、乗客）を既存の撮影装置であるカメラ２を用いて撮影した撮影画像を分析した結果を乗りかご１が着床する階床の乗場付近に設けられた乗場表示装置６の表示画面上に表示する際、画像認識装置３が撮影画像から利用者画像データを抽出して利用者（乗員、乗客）の性別（男女）を識別し、画像変換装置４が利用者の性別を識別した利用者画像データを予め定められた抽象化表示データに変換し、乗場表示装置６が表示画面上に利用者を性別に抽象化表示データに基づいて抽象化表示（記号化表示）するため、乗りかご１内の利用者（乗員、乗客）の総数や性別の様子が判ることにより、犯罪を事前に回避し得るようになる。結果として、撮影装置による撮影画像を用いても、利用者（乗員、乗客）に対する個人の秘密厳守を守りつつ犯罪抑止に寄与し得るものとなる。
【符号の説明】
【００１７】
１  乗りかご
２  カメラ
３  画像認識装置
４  画像変換装置
６  画像表示装置
６ａ  表示部
６ｂ  男性用抽象化表示
６ｃ  女性用抽象化表示
【図１】
2014005089.tif 000003
【図２】
2014005089.tif 000004